(57)【要約】仮想現実兼用携帯電話ケースは、携帯電話胴体を固定するケーシング、ケーシングの後面から可変距離を維持することができる接眼プレート、及びケーシングと接眼プレートの間に介在され、ケーシングに対し、接眼プレートが密着した密着状態及び所定の距離を維持する離隔状態の間で接眼プレートを移動させるスクリーン及び距離調節部材を含むことで、仮想現実機能を具現できる。
2019518536.tif 000002
【特許請求の範囲】
【請求項１】
携帯電話胴体を固定する携帯電話ケースにおいて、
携帯電話胴体を固定するケーシングと、
前記ケーシングの後面から可変距離を維持することができる接眼プレートと、
前記ケーシング及び前記接眼プレートの間に介在され、前記ケーシングに対し、前記接眼プレートが密着した密着状態及び所定の距離を維持する離隔状態の間で前記接眼プレートを移動させるスクリーン及び距離調節部材と、
を含み、仮想現実機能を具現できることを特徴とする、仮想現実兼用携帯電話ケース。
【請求項２】
前記スクリーン及び距離調節部材は、互いに重なりながら後方にスライド移動するとか固定される複数のスクリーンダクトを含むことを特徴とする、請求項１に記載の仮想現実兼用携帯電話ケース。
【請求項３】
前記スクリーンダクトは内壁及び前記内壁から離隔した外壁を含む二重壁の構造に形成されたことを特徴とする、請求項２に記載の仮想現実兼用携帯電話ケース。
【請求項４】
前記スクリーンダクトは、前記内壁に形成された第１通気口及び前記外壁に形成された第２通気口を含み、前記第１通気口及び前記第２通気口は互いにずれるように形成されることによって外部から光が流入することを遮断することを特徴とする、請求項３に記載の仮想現実兼用携帯電話ケース。
【請求項５】
前記スクリーン及び距離調節部材は、
前記ケーシング及び前記接眼プレートの間に介在され、前記密着状態及び前記離隔状態の間で前記接眼プレートを移動させる距離調節部、及び前記ケーシングと前記接眼プレートの間に介在され、前記接眼プレートの前記離隔状態で外部光の流入を遮断する遮光スクリーンを含むことを特徴とする、請求項１に記載の仮想現実兼用携帯電話ケース。
【請求項６】
前記接眼プレートを介して、前記離隔状態の前記仮想現実兼用携帯電話ケースを使用者の顔面に固定させることができる固定部材をさらに含むことを特徴とする、請求項１に記載の仮想現実兼用携帯電話ケース。
【請求項７】
前記接眼プレートの前記密着状態で前記接眼プレートの後面を開閉する後面カバーをさらに含むことを特徴とする、請求項１に記載の仮想現実兼用携帯電話ケース。
【請求項８】
前記後面カバーに匂い発生部又は風発生部が装着されたことを特徴とする、請求項７に記載の仮想現実兼用携帯電話ケース。
【請求項９】
前面のメインディスプレイ及び後面の仮想現実ディスプレイを含む携帯電話胴体に対応して、前記ケーシングは前記仮想現実ディスプレイに対応する貫通部を含むことを特徴とする、請求項１に記載の仮想現実兼用携帯電話ケース。
【請求項１０】
前面のメインディスプレイを含む携帯電話胴体に対応して、前記ケーシングは前記携帯電話胴体を直接収容する内部フレーム及び前記内部フレームを逆転可能に収容するメインフレームを含み、
前記接眼プレートが前記離隔状態にある場合、前記内部フレームと共に逆転された前記携帯電話胴体の前記メインディスプレイが後方に向かうようにして仮想現実機能を具現することができることを特徴とする、請求項１に記載の仮想現実兼用携帯電話ケース。
【発明の詳細な説明】
【技術分野】
【０００１】
本発明は仮想現実機能を具現できる携帯電話ケースに関し、より詳しくは、仮想現実を体験することができるモジュールが一体型に提供された携帯電話ケースに関する。
【背景技術】
【０００２】
仮想現実（Ｖｉｒｔｕａｌ  Ｒｅａｌｉｔｙ）は任意の特定の環境又は状況を人為的に作り、それを使う人がまるで実際の周辺状況及び環境と相互作用していることのようにする人間とコンピュータ間のインターフェースを言う。仮想現実とは、人工現実（ａｒｔｉｆｉｃｉａｌ  ｒｅａｌｉｔｙ）、サイバー空間（ｃｙｂｅｒｓｐａｃｅ）、仮想世界（ｖｉｒｔｕａｌ  ｗｏｒｌｄｓ）、仮想環境（ｖｉｒｔｕａｌ ｅｎｖｉｒｏｎｍｅｎｔ）、合成環境（ｓｙｎｔｈｅｔｉｃ  ｅｎｖｉｒｏｎｍｅｎｔ）、人工環境（ａｒｔｉｆｉｃｉａｌ  ｅｎｖｉｒｏｎｍｅｎｔ）などの用語と混用することもある。
【０００３】
仮想現実の使用目的は人々が日常的に経験しにくい環境を直接体験しなくてもその環境にあるように見せるとともに操作することができるようにするもので、その応用分野は、教育、遠隔操作、遠隔衛星表面探査、探査資料分析、科学的視覚化（ｓｃｉｅｎｔｉｆｉｃ  ｖｉｓｕａｌｉｚａｔｉｏｎ）などである。
【０００４】
近年、スマートフォンが広く普及されるに従って仮想現実が再び注目されている。一例として、ＳＡＭＳＵＮＧがオクルスと共同で製作したギアＶＲ、ＬＧの‘Ｇ３  ＶＲ’、グーグルのカードボードが代表的であり、これらの製品はスマートフォンと連動して仮想現実を体験して見ることができるようにし、既存のＶＲ装備に比べて価格が安い。
【発明の概要】
【発明が解決しようとする課題】
【０００５】
本発明は仮想現実機能を含む携帯電話ケースを提供する。
【０００６】
本発明は、別に携帯する必要がなく、ＶＲ機能を所望の時間及び場所ですぐ具現することができる携帯電話ケースを提供する。
【課題を解決するための手段】
【０００７】
本発明の例示的な一実施例によると、仮想現実兼用携帯電話ケースは、携帯電話胴体を固定するケーシング、ケーシングの後面から可変距離を維持することができる接眼プレート、及びケーシングと接眼プレートの間に介在され、ケーシングに対し、接眼プレートが密着した密着状態及び所定の距離を維持する離隔状態の間で接眼プレートを移動させるスクリーン及び距離調節部材を含めて、仮想現実機能を具現できる。
【０００８】
本発明による仮想現実兼用携帯電話ケースは携帯の可能なように携帯電話と一体に結合された形で使用することができ、携帯電話に仮想現実を具現するための物理的構造を提供し、場所と時間を問わず仮想現実機能を具現することができる。
【０００９】
仮想現実機能で具現できる機能が増えることで、仮想現実有用度は増加するが、従来のように巨大なＶＲ機器を携帯することは、このようなニーズを満たすことができない。だが、本発明では接眼プレートが異格状態にある場合、携帯電話胴体のうち、後方に向かうディスプレイを利用して仮想現実機能を具現することができる。
【００１０】
したがって、スクリーン及び距離調節部材によって携帯電話から接眼プレートを可変長さで維持することができる構造を形成するとともに、前記スクリーン及び距離調節部材は互いに重なりながら後方にスライド移動及び固定される複数のスクリーンダクトを含むことによって外部光の流入を遮断する遮光スクリーン機能も同時に具現することができる。
【００１１】
また、ケーシング内に携帯電話胴体が逆転可能に装着されることもできるので、普段には一般的な用途に使うが、仮想現実機能のために携帯電話胴体が逆転して後方に向かうように転換させることができる。参考として、本明細書で、ケーシングは携帯電話胴体の側面の全部を収容する必要はなく、従来の携帯電話ケースのように、一部だけ収容するようにすることもできる。 また、全面カバーを含めることもでき、前面カバーなしでも提供されることができる。
【００１２】
携帯電話胴体は少なくとも一つのディスプレイを含めることかでき、ディスプレイの中の仮想現実のためのディスプレイが後方を向くようにした後、異格状態の接眼プレートを利用して様々な方式の仮想現実機能が具現できる。 たとえば、従来のカードボードのように仮想現実ディスプレイを左右分割、上下分割、１８０度視野角または３６０度視野角など一対の接眼レンズを利用して多様な効果を具現することもできるが、接眼プレートに偏光レンズを装着する偏光めがね方式又は接眼プレートにおいて、時間差を置いて左右接眼レンズを開閉するシャッターガラス方式なども本発明に適用可能である。この他にも、仮想現実の具現又は立体表示に対する多様な方式のディスプレイ及びレンズの組合せが具現可能である。
【００１３】
接眼プレートは、仮想現実機能を使っていないうちに、携帯電話胴体に密着した密着状態を維持し、仮想現実機能を使っているうちには携帯電話胴体から離隔して所定の距離を維持する離隔状態を維持しなければならない。このために、接眼プレートは携帯電話胴体に対して固定されずに可変距離を形成しなければならない。このために、スクリーン及び距離調節部材は多様な方式を通じて接眼プレートを密着状態及び離撃状態の間に移動させることができる。
【００１４】
例えば、スクリーン及び距離調節部材は複数のスクリーンダクトから具現されることができ、スクリーンダクトの相互間の摩擦及び固定力を用いて逆転された携帯電話胴体のディスプレイと接眼プレートの間の離隔状態を維持し、外部光を遮断することができる。他の方法として、スクリーン及び距離調節部材は、前記ケーシング及び前記接眼プレートの間に介在され、前記密着状態及び前記離隔状態の間で前記接眼プレートを移動させる距離調節部、及び前記ケーシングと前記接眼プレートの間に介在され、前記接眼プレートの前記離隔状態で外部光の流入を遮断する遮光スクリーンをさらに備えることもできる。
【００１５】
スクリーン及び距離調節部材をスクリーンダクトから具現する場合、スクリーンダクトが単一壁の構造に形成されることもできるが、堅固な支持構造及び軽量化のために、二重壁構造として提供されることができる。すなわち、二重壁構造のために、スクリーンダクトは内壁及び外壁を含むことができ、内壁と外壁の間には最小の離隔空間が形成されることができる。
【００１６】
また、仮想現実ディスプレイから発生する熱又は電磁波を解決するために、スクリーンダクトには通気口が形成されることができる。しかし、通気口を通じて外部から光が直接流入することができるから、二重壁構造のスクリーンダクトにおいては内壁に第１通気口を形成し、外壁には第２通気口を形成するとともに、第１通気口と第２通気口が互いに重ならないように、つまりずれるように形成することによって外部から光が直接流入しないようにすることもできる。
【００１７】
スクリーン及び距離調節部材は沒入度のために外部光を効果的に遮断するだけであるから、携帯電話胴体と接眼プレートの間を完全に遮断することの他にも元の機能を毀損しない範囲内で一部開放することも可能である。
【００１８】
また、仮想現実機能をもっと本物らしく具現するため、離隔状態の携帯電話を使用者の顔面に固定させることができる固定部材をさらに含むことができる。固定部材は一般マスクの耳掛け形態、めがねの耳掛け部、ヘルメットマウント又は弾性バンドなどの多様な形態として提供されることができる。
【００１９】
本発明の携帯電話ケースは、接眼プレートの密着状態で前記接眼プレート及びケーシングの後面を開閉する後面カバーをさらに含むこともできる。後面カバーは接眼プレートを保護する用途の他にも、仮想現実のコンテンツと連動して特定の匂いを発生させる匂い発生部又は風を発生させる風発生部をさらに含むこともできる。
【発明の効果】
【００２０】
本発明による仮想現実兼用携帯電話ケースは、一般携帯電話と仮想現実モジュールを一体化し、携帯可能な構造に結合することにより、一般携帯電話としても劣らなく、場所及び時間に関係なく仮想現実機能を具現することができる。仮想現実機能で具現可能な機能が増えるとともに、従来のように別途の補助装置を携帯する必要がないので、使用者の便宜を改善することができる。
【００２１】
また、ケーシング内に携帯電話胴体が逆転可能に装着する場合、単一ディスプレイで一般モニターとしての使用及び仮想現実モニターとしても使用可能である。
【００２２】
また、スクリーン及び距離調節部材によって携帯電話から接眼プレートを可変長さで維持することができる構造を形成し、同じ構造で外部光の流入を遮断する遮光スクリーンの機能を同時に具現することができるので、全体的な構造を簡単に維持し、高級なスライド移動及び堅固性を同時に得ることができる。
【００２３】
このような特徴は、スクリーンダクトを二重壁で形成することによって倍加した効果を得ることができ、互いにずれた通気口の形成及び軽量化構造によって使用者の便宜をもっと向上させることができる。
【図面の簡単な説明】
【００２４】
【図１】本発明の一実施例による仮想現実兼用携帯電話ケースの斜視図である。
【図２】図１の仮想現実兼用携帯電話ケースを後面で示す分解斜視図である。
【図３】図１の仮想現実兼用携帯電話ケースの密着状態を示す断面図である。
【図４】図１の仮想現実兼用携帯電話ケースの離隔状態を示す断面図である。
【図５】本発明の一実施例による仮想現実兼用携帯電話ケースのうちスクリーン及び距離調節部材を説明するための断面図である。
【図６】本発明の一実施例による仮想現実兼用携帯電話ケースのうちスクリーン及び距離調節部材を説明するための部分拡大断面図である。
【図７】本発明の一実施例による仮想現実兼用携帯電話ケースのうちスクリーン及び距離調節部材を説明するための部分拡大側面図である。
【図８】本発明の一実施例による仮想現実兼用携帯電話ケースを説明するための側面図である。
【図９】本発明の一実施例による仮想現実兼用携帯電話ケース及び携帯電話の密着状態を示す断面図である。
【図１０】図９の仮想現実兼用携帯電話ケース及び携帯電話の離隔状態を示す断面図である。
【図１１】本発明の一実施例による仮想現実兼用携帯電話ケースの斜視図である。
【図１２】図１１の仮想現実兼用携帯電話ケースを後面で示す分解斜視図である。
【図１３】図１１の仮想現実兼用携帯電話ケースの側面図である。
【図１４】本発明の一実施例による仮想現実兼用携帯電話ケースのうち距離調節部材を説明するための部分拡大図である。
【発明を実施するための形態】
【００２５】
以下、添付図面に基づいて本発明の好適な実施例を詳細に説明するが、本発明が実施例に制限されるとか限定されるものではない。参考として、本説明において同じ符号は実質的に同一要素を示し、このような規則の下で他の図に記載された内容を引用して説明することができ、当業者に明らかであると判断されるとか繰り返される内容は省略することができる。
【００２６】
図１は本発明の一実施例による仮想現実兼用携帯電話ケース及びそれに装着された携帯電話の斜視図であり、図２は図１の仮想現実兼用携帯電話ケース及び携帯電話を後面で示す分解斜視図であり、図３は図１の仮想現実兼用携帯電話ケース及び携帯電話の密着状態を示す断面図であり、図４は図１の仮想現実兼用携帯電話ケース及び携帯電話の離隔状態を示す断面図である。
【００２７】
図１〜図４を参照すると、本実施例による仮想現実兼用携帯電話ケース２００は、携帯電話胴体１００と結合、すなわち携帯電話胴体１００を収容している。携帯電話胴体１００に対応して、携帯電話ケース２００はケーシング２１０、接眼プレート２２０及びスクリーン及び距離調節部材２３０を含む。
【００２８】
携帯電話胴体１００は、前面に取り付けられるメインディスプレイ１１２及び後面に取り付けられる仮想現実ディスプレイ１１４を含み、前面のメインディスプレイ１１２又はその他のボタンの操作などによって基本的な通話、アプリケーションの駆動などを遂行することができる。そして、後面の仮想現実ディスプレイ１１４は接眼プレート２２０とともに使用者に仮想現実機能を提供することができる。仮想現実ディスプレイ１１４は使用者の操作又は接眼プレート２２０の移動の感知などによって作動することができる。
【００２９】
ケーシング２１０は携帯電話胴体１００を収容することができ、後方には仮想ディスプレイ１１４を開放するための貫通部を含むことができる。貫通部は一つのホールまたは２つ以上のホールで形成することができる。 図示のように、他の携帯電話ケースと同様、ケーシング２１０の全面一側に全面カバー２１１が形成されることもある。
【００３０】
接眼プレート２２０は一対の接眼レンズ２２２を含み、使用者は接眼レンズ２２２を介して逆転したメインディスプレイ１１２に表示された映像を見ることができる。接眼レンズ２２２は微細な回転操作によって焦点を調節するようにすることができ、左右幅を調節して眉間距離に対応することができる。この他にも、接眼レンズ２２２の周辺に顔面の形状に対応するクッション又は光をさらに遮断することができる遮光構造などを付け加えることができる。
【００３１】
スクリーン及び距離調節部材２３０は、ケーシング２１０の後面に取り付けられ、それ自体で互いに重なり、長手方向にスライド移動するとか固定される複数のスクリーンダクト２４０を含むことができる。スクリーンダクト２４０は携帯電話の形状に対応して方形に形成されるとか、その他に楕円形あるいは目の形状に合うように８字形の外形を有する形状にも形成されることができる。
【００３２】
スクリーン及び距離調節部材２３０においてスクリーンダクト２４０は金属アンテナのように多少の摩擦状態でスライド移動するから、任意の位置で停止することができるとともに可変距離を維持することもできる。また、スクリーンダクト２４０は４面を外部から遮断することができるから、外部光を効果的に遮断することができる。
【００３３】
図５は本発明の一実施例による仮想現実兼用携帯電話ケースのうちスクリーン及び距離調節部材を説明するための断面図である。
【００３４】
図５を参照すると、スクリーン及び距離調節部材２３０を構成するスクリーンダクト２４０は二重壁構造にも形成されることができる。二重壁を構成するスクリーンダクト２４０は内壁２４２及び外壁２４４を含み、内壁２４２及び外壁２４４の全部又は一部の領域で離隔した距離を維持することができる。スクリーンダクト２４０は二重壁構造を形成するから、単一壁構造に比べ、同じ厚さで著しく軽量化した重さを維持し、堅固な構造を形成することができる。
【００３５】
図６は本発明の一実施例による仮想現実兼用携帯電話ケースのうちスクリーン及び距離調節部材を説明するための部分拡大断面図である。
【００３６】
図６の（ａ）を参照すると、スクリーンダクト２４０には、密着状態又は離隔状態を固定するために、内壁から突出した弾性突起２４７をさらに含むことができる。スクリーンダクト２４０が伸びた離隔状態で弾性突起２４７は他のスクリーンダクト２４０の端部を支持することにより、一定の力以下ではスクリーンダクト２４０が互いに重ならないように固定させることができる。
【００３７】
また、図６（ｂ）を参照すると、スクリーンダクト２４０が互いに重なった密着状態で、弾性突起２４７は他のスクリーンダクト２４０に形成された突起収容孔２４９に係合されることにより、やはり一定の力以下ではスクリーンダクト２４０が互いに動けないように固定させることができる。
【００３８】
本実施例では弾性突起２４７がスクリーンダクト２４０の内壁２４２から突出した構造に形成されるが、反対に外壁又は内外壁の両壁から突出した構造に形成されることができ、相互作動を妨げないように伸縮方向に垂直な方向に互いに離隔するように設計されることもできる。また、弾性突起２４７がスプリングによって支持されるものの他にも、リーフスプリングのように自体弾性によって弾性的に支持されるようにすることもできる。
【００３９】
図７は本発明の一実施例による仮想現実兼用携帯電話ケースのうちスクリーン及び距離調節部材を説明するための部分拡大側面図である。
【００４０】
図７を参照すると、図５で説明したように、スクリーン及び距離調節部材２３０のスクリーンダクト２４０は二重壁構造に形成されることができる。このように二重壁で形成される場合、単純に軽量化を具現することの外にも、他の効果をもたらすことができる。例えば、スクリーン及び距離調節部材２３０に通気口を形成するにあたり、第１通気口２４６及び第２通気口２４８を互いに重ならないように形成することにより、外部から光が流入することを遮断することができる。
【００４１】
具体的に、二重壁構造のスクリーンダクト２４０においては、内壁２４２に第１通気口２４６を形成し、外壁２４４には第２通気口２４８を形成する。ここで、図示のように、第１通気口２４６と第２通気口２４８が互いに重ならないように、つまり互いにずれるように形成することにより、外部から光が流入しないようにすることができる。
【００４２】
また図２〜図４を参照すると、スクリーン及び距離調節部材２３０はケーシング２１０と接眼プレート２２０の間に介在され、接眼プレート２２０が離隔状態にあるうちに外部光が流入することを遮断することができる。
【００４３】
本実施例において、スクリーンダクト２４０のサイズが後方に次第に増加するとともに前後方向に伸縮可能であるが、反対にスクリーンダクトのサイズが次第に減少するようにすることもでき、スクリーンダクトのサイズが増加してから減少するようにするとか、その反対にすることもできる。
【００４４】
また、スクリーンダクト２４０は沒入度のために外部光を４面で遮断することが好ましいが、一部が開放しても沒入度を深刻に妨げない範囲内で携帯電話胴体１００と接眼プレート２２０の間を部分的に遮断することもできる。
【００４５】
図８は本発明の一実施例による仮想現実兼用携帯電話ケースを説明するための側面図である。
【００４６】
図８を参照すると、以前の実施例と同様に、仮想現実兼用携帯電話ケースは、携帯電話胴体１００を収容し、ケーシング２１０、接眼プレート２２０、及びスクリーン及び距離調節部材２３０を含み、以前の実施例と別に後面カバー２５０をさらに含むことができる。
【００４７】
後面カバー２５０は接眼プレート２２０を保護する用途に使われることができ、使用者が着用しているうちにケーシング２１０又は接眼プレート２２０の底面から垂れた状態で使われることができる。
【００４８】
後面カバー２５０を携帯電話胴体１００に形成する場合、接眼プレート２２０を保護するとともに、仮想現実のコンテンツと連動して特定の匂いを発生させる匂い発生部又は風を発生させる風発生部２７０をさらに形成することができる。
【００４９】
また、仮想現実機能をもっと本物らしく具現するために、離隔状態の携帯電話を使用者の顔面に固定させることができる固定部材２６０をさらに含むことができる。固定部材２６０は一般マスクの耳掛けの形態として提供されることができ、普段には接眼プレート２２０の両側に備えられるが、使用者の便宜によって後方に引き出されて使用者の耳にかかることができる。もちろん、この外にも、携帯電話胴体１００に形成されることも可能である。
【００５０】
固定部材２６０はめがねの耳掛けの形態として提供されることもでき、使用者の頭部に固定される弾性バンドの形態としても提供されることができる。
【００５１】
図９は本発明の一実施例による仮想現実兼用携帯電話ケース及び携帯電話の密着状態を示す断面図であり、図１０は図９の仮想現実兼用携帯電話ケース及び携帯電話の離隔状態を示す断面図である。
【００５２】
図９及び図１０を参照すると、ケーシング２１０は携帯電話胴体１０１を直接収容する内部フレーム２１６及び内部フレーム２１６を逆転可能に収容するメインフレーム２１５を含む。 以前の実施例とは異なり、携帯電話胴体１０１が仮想現実ディスプレイを含まなくても、前面のメインディスプレイ１１２を用いて仮想現実機能を具現することができ、このため携帯電話胴体１０１を収容する内部フレーム２１６がメインフレーム２１５内で逆転可能に装着できる。
【００５３】
すなわち、接眼プレート２２０が密着状態にある場合、携帯電話胴体１０１のメインディスプレイ１１２は前面に向かうことができる。しかし、接眼プレート２２０が離格状態にある場合、内部フレーム２１６と共に携帯電話胴体１０１が逆転する可能性があり、逆転した携帯電話胴体１０１のメインディスプレイ１１２も後方に向けて仮想現実機能を具現するための用途として使用できる。
【００５４】
携帯電話胴体１０１は、ケーシング２１０の内部フレーム２１６に収容されることで、メインフレーム２１５内で回転可能に装着されることができ、携帯電話胴体１０１および内部フレーム２１６の回転によってメインディスプレイ１１２が前方に向かう状態で固定されるとか後方に向かう状態で固定されることができる。
【００５５】
ディスプレイ１１２の方向は携帯電話胴体１０１の回転状態によって感知することができ、使用者の操作、携帯電話胴体１０１の方向又は接眼プレート２２０の移動感知などによって仮想現実機能が自動で作動するようにすることもできる。
【００５６】
図１１は本発明の一実施例による仮想現実兼用携帯電話ケース及びそれに装着された携帯電話の斜視図であり、図１２は図１１の仮想現実兼用携帯電話ケースを後面で示す分解斜視図であり、図１３は図１１の仮想現実兼用携帯電話ケースの側面図である。
【００５７】
図１１〜図１３を参照すると、本実施例による仮想現実兼用携帯電話ケース３００は、携帯電話胴体１００を収容するケーシング３１０、接眼プレート３２０及びスクリーン及び距離調節部材３３０を含む。
【００５８】
携帯電話胴体１００は前面に取り付けられるディスプレイ１１２及び後面に取り付けられる仮想現実ディスプレイ１１４を含み、前面のメインディスプレイ１１２又はその他のボタンの操作などによって基本的な通話、アプリケーションの駆動などを遂行することができる。そして、後面の仮想現実ディスプレイ１１４は接眼プレート２２０とともに使用者に仮想現実機能を提供することができる。
【００５９】
本実施例に携帯電話胴体１００はケーシング３１０内で方向転換ができないが、別には図９及び図１０に示されているように、ケーシング３１０を内部フレームとメインフレームで具現した場合なら、逆転可能に方向を転換させることもできる。
【００６０】
接眼プレート３２０は一対の接眼レンズ３２２を含み、使用者は接眼レンズ３２２を介して逆転されたディスプレイ１１２に表示された映像を見ることができる。接眼レンズ３２２は微細な回転操作によって焦点を調節することができ、左右幅を調節して眉間距離に対応することができる。この他にも、接眼レンズ３２２の周辺に顔面形状に対応するクッション又は光をさらに遮断することができる遮光構造などを付け加えることができる。
【００６１】
スクリーン及び距離調節部材３３０は距離調節部３３１及び遮光スクリーン３４０を含み、距離調節部３３１は中央一側で互いに回転可能に連結される第１リンク３３２及び第２リンク３３４を含み、第１リンク３３２の他端はケーシング３１０に回転可能に連結され、第２リンク３３４の他端は接眼プレート３２０に回転可能に連結される。
【００６２】
第１リンク３３２及び第２リンク３３４を含む４個の組合せがケーシング３１０の４角部で接眼プレート３２０を連結し、第１リンク３３２及び第２リンク３３４は一字形に展開するとかＶ字形に折り畳まれることによって接眼プレート３２０を離隔状態及び密着状態の間で移動させることができる。
【００６３】
図１４は本発明の一実施例による仮想現実兼用携帯電話ケースのうち距離調節部材を説明するための部分拡大図である。
【００６４】
図１４を参照すると、第１リンク３３２は長さ調節及び固定可能に提供されることができる。このために、第１リンク３３２は互いに重畳する長さを調節することができる２個以上のロッド３３６、３３７を含み、ロッド３３６、３３７の少なくとも一方には長手方向に長孔が形成され、長孔には微細調節ネジ３３８が装着されることによってロッド３３６、３３７間の重畳長を調節及び固定することができる。
【００６５】
この他にも、長孔に一定の間隔で複数の係止突起を形成し、係止突起を移動させることによってロッド間の重畳長を調節することができる。
【００６６】
このように重畳長を調節することにより、必要によって微細な距離調整が可能であり、４個のリンク組合せを独立的に調節することによって接眼ディスプレイの角度、ディスプレイ横軸に対するずれも調節することができる。
【００６７】
また、図１２及び図１３を参照すると、遮光スクリーン３４０はケーシング３１０と接眼プレート３２０の間に介在され、接眼プレート３２０が離隔状態にあるうちに外部光が流入することを遮断することができる。
【００６８】
本実施例において、遮光スクリーン３４０はベローズ状に形成され、両端がそれぞれケーシング３１０及び接眼プレート３２０に固定されて実質的に完璧な暗室をなしている。しかし、遮光スクリーン３４０はベローズではなく、伸縮性に優れた素材から形成されることができる。いずれか一方に固定されているが、離隔状態に至ってからこそ他方に固定されるように設計することもできる。
【００６９】
また、遮光スクリーン３４０は沒入度のために外部光を４面で遮断することが好ましいが、一部開放しても沒入度を深刻に妨げない範囲内でケーシング３１０と接眼プレート３２０の間を部分的に遮断することもできる。
【００７０】
また、仮想現実機能をもっと本物らしく具現するために、離隔状態の携帯電話を使用者の顔面に固定させることができる固定部材３６０をさらに含むことができる。固定部材３６０は接眼ディスプレイではなくケーシング３１０に一般マスクの耳掛けの形態として提供されることができ、普段にはケーシング３１０の後面の両側に備えられるが、使用者の便宜によって後方に引き出されて使用者の耳にかけることができる。
【００７１】
固定部材３６０はめがねの耳掛けの形態として提供されることもでき、使用者の頭部に固定される弾性バンドの形態としても提供されることができる。
【００７２】
上述したように、本発明の好適な実施例を参照して説明したが、当該技術分野の熟練した当業者であれば、下記の請求範囲に記載された本発明の思想及び領域から逸脱しない範疇内で本発明を多様に修正及び変更することができることが理解可能であろう。
【図１】
2019518536.tif 000003
【図２】
2019518536.tif 000004
【図３】
2019518536.tif 000005
【図４】
2019518536.tif 000006
【図５】
2019518536.tif 000007
【図６】
2019518536.tif 000008
【図７】
2019518536.tif 000009
【図８】
2019518536.tif 000010
【図９】
2019518536.tif 000011
【図１０】
2019518536.tif 000012
【図１１】
2019518536.tif 000013
【図１２】
2019518536.tif 000014
【図１３】
2019518536.tif 000015
【図１４】
2019518536.tif 000016
【国際調査報告】
2019518536.tif 000017
2019518536.tif 000018
2019518536.tif 000019
2019518536.tif 000020